(57)【要約】【課題】ガイドワイヤが通されるガイドワイヤルーメンの基端開口部の捲れや損傷を抑制できるカテーテルを提供する。【解決手段】カテーテル１０は、カテーテルシース２０と、カテーテルシース２０の先端部に配置され、ガイドワイヤ１００を挿入可能なガイドワイヤルーメン３３が形成された中空部３０と、を有するカテーテル１０であって、中空部３０は、ガイドワイヤルーメン３３の先端開口部３４が形成される先端中空部３１と、ガイドワイヤルーメン３３の基端開口部３５の少なくとも一部が形成され、先端中空部３１よりも柔軟である変形部３２と、を有する。【選択図】図２
2020116038.tif 000002
【特許請求の範囲】
【請求項１】
カテーテルシースと、
前記カテーテルシースの先端部に配置され、ガイドワイヤを挿入可能なガイドワイヤルーメンが形成された中空部と、を有するカテーテルであって、
前記中空部は、
前記ガイドワイヤルーメンの先端開口部が形成される先端中空部と、
前記ガイドワイヤルーメンの基端開口部の少なくとも一部が形成され、前記先端中空部よりも柔軟である変形部と、を有することを特徴とするカテーテル。
【請求項２】
前記中空部の少なくとも一部は、前記カテーテルシースと平行に配置され、
前記変形部は、前記カテーテルシースに固定される固定部を有することを特徴とする請求項１に記載のカテーテル。
【請求項３】
前記中空部の少なくとも一部は、前記カテーテルシースと平行に配置され、
前記変形部は、前記中空部およびカテーテルシースが軸方向の位置において重なる範囲内に配置されることを特徴とする請求項１または２に記載のカテーテル。
【請求項４】
前記変形部の内径は、基端側に向かって小さくなっていることを特徴とする請求項１〜３のいずれか１項に記載のカテーテル。
【請求項５】
前記変形部の少なくとも一部は、弾性変形可能なゴム材料により形成されることを特徴とする請求項１〜４のいずれか１項に記載のカテーテル。
【請求項６】
前記変形部の少なくとも一部は、繊維材料からなる布様部材により形成されることを特徴とする請求項１〜５のいずれか１項に記載のカテーテル。
【請求項７】
前記中空部の少なくとも一部の内腔の軸心は、基端側へ向かうにしたがって前記カテーテルシースに近づくことを特徴とする請求項１〜６のいずれか１項に記載のカテーテル。
【発明の詳細な説明】
【技術分野】
【０００１】
本発明は、先端部にガイドワイヤルーメンを有するカテーテルに関するものである。
【背景技術】
【０００２】
近年、血管等の生体管腔内に生じた病変部の診断や治療には、カテーテルがよく用いられる。カテーテルは、経皮的に生体管腔内に挿入されるため、外科手術と比較して低侵襲な手技を可能とする。
【０００３】
カテーテルの種類の一つに、ガイドワイヤを通すためのガイドワイヤルーメンが先端部にのみ設けられる、いわゆるラピッドエクスチェンジ型のカテーテルがある。ラピッドエクスチェンジ型のカテーテルは、ガイドワイヤルーメンが短いため、カテーテルのガイドワイヤからの抜き差しを迅速に行なうことができる。ラピッドエクスチェンジ型のカテーテルの例として、例えば、血管内超音波（ＩＶＵＳ：Ｉｎｔｒａ  Ｖａｓｃｕｌａｒ  Ｕｌｔｒａ  Ｓｏｕｎｄ）に使用するカテーテルが知られている。血管内超音波カテーテルは、先端に小型超音波振動子が装着されたカテーテルであり、血管内に挿入されて血管内部の断層画像を得ることができる。血管内超音波検査により得られる血管内の情報は、ステントサイズの決定や、ステント留置後の治療効果の確認に有用である。
【０００４】
ラピッドエクスチェンジ型のカテーテルは、ガイドワイヤルーメンが短いため、ガイドワイヤルーメンの基端開口部が血管内に挿入される。ガイドワイヤルーメンの基端開口部は、ガイドワイヤルーメンにガイドワイヤを通す際やガイドワイヤの移動時に生じるガイドワイヤの湾曲や撓みによってカテーテルの径方向外側に外力が作用すると、捲れや損傷が生じる可能性がある。捲れや損傷によりガイドワイヤルーメンの基端開口部が広がった形状になると、基端開口部が血管内に留置したステントの端部や血管の湾曲部位に引っ掛かり、カテーテルの操作が困難となることがある。
【０００５】
上述したガイドワイヤルーメンの基端開口部の捲れを抑制するために、特許文献１には、ガイドワイヤルーメンの基端開口部が硬い素材で形成されたカテーテルが開示されている。
【先行技術文献】
【特許文献】
【０００６】
【特許文献１】特開２０１６−５９５０７号公報
【発明の概要】
【発明が解決しようとする課題】
【０００７】
しかしながら、ラピッドエクスチェンジ型のカテーテルに設けられるガイドワイヤルーメンの基端開口部を硬い素材で形成すると、基端開口部に強い外力が作用した際に基端開口部を起点としてガイドワイヤがキンクする可能性がある。また、基端開口部とガイドワイヤとの摩擦力が大きくなり、ガイドワイヤに施された潤滑層等の被覆層が剥離する可能性もある。
【０００８】
本発明は、上述した課題を解決するためになされたものであり、ガイドワイヤが通されるガイドワイヤルーメンの基端開口部の捲れや損傷を抑制できるカテーテルを提供することを目的とする。
【課題を解決するための手段】
【０００９】
上記目的を達成するカテーテルは、カテーテルシースと、前記カテーテルシースの先端部に配置され、ガイドワイヤを挿入可能なガイドワイヤルーメンが形成された中空部と、を有するカテーテルであって、前記中空部は、前記ガイドワイヤルーメンの先端開口部が形成される先端中空部と、前記ガイドワイヤルーメンの基端開口部の少なくとも一部が形成され、前記先端中空部よりも柔軟である変形部と、を有することを特徴とする。
【発明の効果】
【００１０】
上記のように構成したカテーテルは、基端開口部が形成される変形部が外力によって変形しやすいため、基端開口部に強い外力が作用しても、基端開口部の捲れや損傷を抑制できる。
【００１１】
前記中空部の少なくとも一部は、前記カテーテルシースと平行に配置され、前記変形部は、前記カテーテルシースに固定される固定部を有してもよい。これにより、ガイドワイヤルーメンがカテーテルシースと平行になりやすい。さらに、変形部は、カテーテルシースに固定されるため、必要以上の変形が抑制され、変形しても元の位置に戻りやすい。このため、ガイドワイヤは、基端開口部付近における撓みが抑制され、カテーテルシースに沿いやすくなる。したがって、カテーテルの操作性が安定する。
【００１２】
前記中空部の少なくとも一部は、前記カテーテルシースと平行に配置され、前記変形部は、前記中空部およびカテーテルシースが軸方向の位置において重なる範囲内に配置されてもよい。これにより、変形しやすく剛性の低い変形部を、カテーテルシースにより支持できる。このため、カテーテルの軸方向における剛性の変化が緩やかとなり、カテーテルのキンクの発生を抑制できる。
【００１３】
前記変形部の内径は、基端側に向かって小さくなってもよい。これにより、ガイドワイヤルーメンを通るガイドワイヤは、基端開口部付近における撓みがさらに抑制され、ガイドワイヤルーメンよりも基端側でカテーテルシースに沿いやすくなる。このため、カテーテルの操作性が安定する。
【００１４】
前記変形部の少なくとも一部は、弾性変形可能なゴム材料により形成されてもよい。これにより、基端開口部の少なくとも一部を含む変形部は、外力により損傷せずに変形可能でありつつ、除荷により容易に元の形状に戻ることができる。このため、基端開口部が血管内に留置したステント端部のストラットに引っ掛かる可能性を低減できる。また、ガイドワイヤは、ガイドワイヤルーメンよりも基端側でカテーテルシースに沿いやすくなる。したがって、カテーテルの操作性が安定する。
【００１５】
前記変形部の少なくとも一部は、繊維材料からなる布様素材により形成されてもよい。布様素材は、繊維材料からなるため、皺が寄るように大きく変形できるとともに、必要以上に変形せず、かつ損傷し難い。これにより、変形部は、変形した後に除荷により容易に元の形状に戻ることができる。このため、基端開口部が血管内に留置したステント端部のストラットに引っ掛かる可能性を低減できる。また、ガイドワイヤは、ガイドワイヤルーメンよりも基端側でカテーテルシースに沿いやすくなる。したがって、カテーテルの操作性が安定する。
【００１６】
前記中空部の少なくとも一部の内腔の軸心は、基端側へ向かうにしたがって前記カテーテルシースに近づいてもよい。これにより、ガイドワイヤルーメンを通るガイドワイヤは、基端開口部付近における撓みがさらに抑制され、ガイドワイヤルーメンよりも基端側でカテーテルシースに沿いやすくなる。このため、カテーテルの操作性が安定する。
【図面の簡単な説明】
【００１７】
【図１】第１実施形態に係るカテーテルを示す平面図である。
【図２】カテーテルの先端部を示す図であり、（Ａ）はカテーテルの先端部の縦断面図、（Ｂ）は（Ａ）のＡ−Ａ線に沿う横断面図である。
【図３】カテーテルの変形部が変形した状態を示す平面図である。
【図４】カテーテルの変形例を示す平面図であり、（Ａ）は第１変形例、（Ｂ）は第２変形例、（Ｃ）は第３変形例を示す。
【図５】カテーテルの変形例を示す平面図であり、（Ａ）は第４変形例、（Ｂ）は第５変形例を示す。
【図６】カテーテルの第６変形例を示す平面図であり、（Ａ）はカテーテルの先端部、（Ｂ）は製造過程の中空部を示す。
【図７】カテーテルの第７変形例を示す図であり、（Ａ）はカテーテルの先端部の平面図、（Ｂ）は（Ａ）のＢ−Ｂ線に沿う横断面図である。
【図８】カテーテルの第８変形例を示す図であり、（Ａ）はカテーテルの先端部の平面図、（Ｂ）は（Ａ）のＣ−Ｃ線に沿う横断面図である。
【図９】カテーテルの第９変形例を示す図であり、（Ａ）はカテーテルの先端部の平面図、（Ｂ）は（Ａ）のＤ−Ｄ線に沿う横断面図である。
【図１０】第２実施形態に係るカテーテルを示す図であり、（Ａ）は先端部の平面図、（Ｂ）は（Ａ）のＥ−Ｅ線に沿う横断面図である。
【図１１】第２実施形態に係るカテーテルの変形部が変形した状態を示す図であり、（Ａ）は先端部の平面図、（Ｂ）は（Ａ）のＦ−Ｆ線に沿う横断面図である。
【図１２】カテーテルの第１０変形例を示す平面図である。
【発明を実施するための形態】
【００１８】
以下、図面を参照して、本発明の実施の形態を説明する。なお、図面の寸法は、説明の都合上、誇張されて実際の寸法とは異なる場合がある。また、本明細書及び図面において、実質的に同一の機能を有する構成要素については、同一の符号を付することにより重複説明を省略する。本明細書では、管腔に挿入する側を「先端側」、操作する手元側を「基端側」と称することとする。
＜第１実施形態＞
【００１９】
第１実施形態に係るカテーテル１０は、図１、２に示すように、内部に超音波診断のためのイメージングコア４０を収容して血管内に挿入される血管内超音波カテーテルである。カテーテル１０は、当該カテーテル１０を保持してイメージングコアを駆動させる外部駆動装置に接続して使用される。
【００２０】
カテーテル１０は、長尺なカテーテルシース２０と、ガイドワイヤルーメン３３が形成される中空部３０と、超音波を送受信するイメージングコア４０と、外部駆動装置に接続されるコネクタ５０とを備えている。
【００２１】
カテーテルシース２０は、管状であり、内部にイメージングコア用ルーメン２３が形成されている。イメージングコア用ルーメン２３は、カテーテルシース２０の先端面で外部に開口している。このため、イメージングコア用ルーメン２３は、カテーテルシース２０内に充填される生理食塩液を外部に流すことができる。なお、イメージングコア用ルーメン２３は、カテーテルシース２０の先端面で外部に開口していないこともあり得る。
【００２２】
カテーテルシース２０の外径は、生体管腔内に挿入可能であれば、特に限定されないが、例えば０．５〜１．２５ｍｍである。カテーテルシース２０は、可撓性を有し、かつ超音波の透過性の高い材料により形成されている。カテーテルシース２０の構成材料は、特に限定されないが、例えば、ポリエチレン系、スチレン系、ポリオレフィン系、ポリウレタン系、ポリエステル系、ポリアミド系、ポリイミド系、ポリブタジエン系、トランスポリイソプレン系、フッ素ゴム系、塩素化ポリエチレン系等の各種熱可塑性エラストマー等が挙げられ、これらのうちの１種または２種以上を組合せたもの（ポリマーアロイ、ポリマーブレンド、積層体等）を用いることができる。
【００２３】
イメージングコア４０は、イメージングコア用ルーメン２３に、カテーテルシース２０の軸方向へスライド可能かつ回転可能に配置されている。イメージングコア４０は、血管内から生体組織に向けて超音波を送受信するための超音波振動子４１と、この超音波振動子４１が先端に取り付けられるとともに回転する回転シャフト４２とを備えている。
【００２４】
回転シャフト４２は、柔軟で、コネクタ５０において外部から伝わる回転の動力を超音波振動子４１に伝達可能である。回転シャフト４２が、カテーテルシース２０に対して軸方向へ移動しつつ回転することで、超音波振動子４１が軸方向へ移動しつつ回転する。これにより、超音波振動子４１は、血管内の軸方向にわたる包囲組織の断層画像を、走査的に得ることができる。
【００２５】
コネクタ５０は、カテーテルシース２０の基端部に固定される先端コネクタ５１と、先端コネクタ５１に対して軸方向へ移動可能な基端コネクタ５２とを備えている。基端コネクタ５２の先端部は、先端コネクタ５１の基端面から内部に入り込んでおり、軸方向に沿って移動可能である。基端コネクタ５２の基端部の内部には、外部駆動装置から回転動力を受ける回転シャフト４２の基端部が、回転可能に保持されている。基端コネクタ５２には、イメージングコア用ルーメン２３へ生理食塩液を注入するポート５３が形成されている。基端コネクタ５２が先端コネクタ５１に対して軸方向へ移動することで、回転シャフト４２が、先端コネクタ５１およびカテーテルシース２０の内部を軸方向へ移動することができる。
【００２６】
中空部３０は、カテーテルシース２０の先端部に固定されている。中空部３０は、先端側に位置する先端中空部３１と、先端中空部３１の基端側に位置する変形部３２とを備えている。中空部３０は、ガイドワイヤを通すための通路として、先端中空部３１および変形部３２を貫通するガイドワイヤルーメン３３が形成されている。ガイドワイヤルーメン３３は、先端中空部３１の先端側に位置する先端開口部３４から、変形部３２の基端側に位置する基端開口部３５まで貫通している。
【００２７】
先端中空部３１の最先端は、カテーテルシース２０の最先端よりも先端側に位置している。先端中空部３１の最基端は、カテーテルシース２０の最先端よりも基端側に位置している。先端中空部３１の基端部の外周の一部は、カテーテルシース２０の先端部の外周の一部に接合されている。先端中空部３１とカテーテルシース２０の接合方法は、例えば熱融着であるが、特に限定されず、接着剤による接着、先端中空部３１およびカテーテルシース２０の両方を１つの管体で覆って連結する方法等であってもよい。または、先端中空部３１は、カテーテルシース２０と一体的に形成されてもよい。
【００２８】
カテーテルシース２０は、内腔の中心（重心）に軸心Ｘを有し、中空部３０は、内腔の中心（重心）に軸心Ｙを有している。先端中空部３１の軸心Ｙは、カテーテルシース２０の軸心Ｘと略平行であり、かつ軸心Ｘから離れている。先端中空部３１の先端開口部３４が形成される先端開口面３６は、カテーテルシース２０の軸心Ｘおよび先端中空部３１の軸心Ｙに対して略垂直である。先端中空部３１の基端面である境界面３９には、変形部３２の先端面が固定されている。境界面３９は、カテーテルシース２０の軸心Ｘと直交する面に対して傾斜している。境界面３９は、カテーテルシース２０に近い側が、カテーテルシース２０から遠い側よりも基端側に位置するように傾斜している。先端中空部３１の構成材料は、前述したカテーテルシース２０に適用可能な材料を適用できる。
【００２９】
変形部３２は、先端中空部３１よりも高い伸縮性を備える高弾性材料により形成される。変形部３２は、先端中空部３１よりも高弾性であり、柔軟に変形可能である。変形部３２は、先端中空部３１の境界面３９と接合されている。変形部３２の外径および内径は、基端側へ向かうに従って徐々に小さくなっている。変形部３２の基端開口部３５が形成される基端開口面３７は、カテーテルシース２０の軸心Ｘと直交する面に対して傾斜している。基端開口面３７は、カテーテルシース２０に近い側が、カテーテルシース２０から遠い側よりも基端側に位置するように傾斜している。変形部３２における中空部３０の軸心Ｙは、基端側へ向かうに従って、カテーテルシース２０の外周面に近づくように傾いている。変形部３２における中空部３０の軸心Ｙは、カテーテルシース２０の軸心Ｘと直交する断面（図２（Ｂ）を参照）において、変形部３２の内周面の中心（重心）に位置している。変形部３２の外周の一部である固定部３８は、カテーテルシース２０の先端部の外周の一部に接合されている。固定部３８は、変形部３２の基端を含むことが好ましい。変形部３２が変形部３２の基端でカテーテルシース２０と固定されることによって、変形部３２は、外力により変形してもカテーテルシース２０から必要以上に離れることがなく、外力を除荷した後も元の位置に戻りやすい。変形部３２とカテーテルシース２０の接合方法は、例えば熱融着であるが、特に限定されず、例えば、接着剤による接着等であってもよい。変形部３２の最先端の位置は、カテーテルシース２０の軸方向において、カテーテルシース２０の一定外径である部位の最先端の位置と一致、または当該位置よりも基端側に位置している。変形部３２の最基端の位置は、カテーテルシース２０の軸方向において、イメージングコア４０が位置し得る最先端の位置と一致、または当該位置よりも先端側に位置している。これにより、変形部３２は、イメージングコア４０の周囲に位置せず、イメージングコア４０による超音波の送受信を阻害しない。また、先端中空部３１の一定外径である部位の最基端の位置（境界面３９の最先端の位置）が、カテーテルシース２０の最先端の位置と略一致し、先端中空部３１の最基端の位置（境界面３９の最基端の位置）が、カテーテルシース２０の一定外径である部位の最先端の位置と略一致する。これにより、カテーテル１０の先端部において、先端中空部３１およびカテーテルシース２０を組み合わせた部位の、軸方向における剛性の変化が緩やかとなり、キンクの発生を抑制できる。
【００３０】
中空部３０の軸方向の長さは、特に限定されないが、例えば５〜５０ｍｍである。中空部３０の軸方向の長さは、カテーテル１０が血管内超音波カテーテルである場合は５〜３０ｍｍ、バルーンカテーテルである場合は、１０〜５０ｍｍであることが好ましい。中空部３０の内径は、特に限定されないが、例えば０．３０〜１．００ｍｍである。中空部３０の外径は、特に限定されないが、例えば０．３５〜１．２ｍｍである。変形部３２の軸方向の長さは、特に限定されないが、例えば２〜１５ｍｍである。
【００３１】
変形部３２の構成材料は、例えば、天然ゴムまたは合成ゴムであるゴム材料を用いることができる。合成ゴムは、例えば、アクリルゴム、アクリロニトリル−ブタジエンゴム、水素化アクリロニトリルーブタジエンゴム、イソプレンゴム、ウレタンゴム、エチレン−プロピレンゴム、エチレン−プロピレン−ジエンゴム（ＥＰＤＭ）、クロロプレンゴム、シリコーンゴム、スチレン−ブタジエンゴム、多硫化ゴム、ブタジエンゴム、フッ素ゴム等が挙げられる。
【００３２】
変形部３２の外周面および／または内周面は、潤滑剤が被覆されてもよい。潤滑剤は、変形部３２の外周面にある場合には、変形部３２とカテーテルシース２０の接合を妨げないように、変形部３２とカテーテルシース２０の接合部には設けられない。また、変形部３２の材料中に、固体潤滑剤が練り込まれていてもよい。潤滑剤は、液体であっても固体であってもよい。潤滑剤は、親水性基を含むポリマーや固体潤滑剤が使用できる。親水性基を含むポリマーは、例えば、ポリオキシアルキレン基、金属塩含有親水基、ハロゲン塩含有親水基、双極性イオン基等の親水性官能基を有するポリマーであり、例えば、ポリビニルピロリドン、ポリエチレングリコール、ポリアクリルアミド類、メチルビニルエーテル／マレイン酸系の共重合体類、ヒアルロン酸などの多糖類等である。固体潤滑剤は、例えば、グラファイト、ナノカーボン、ダイアモンドライクカーボン（ＤＬＣ）、ポリテトラフルオロエチレン（ＰＴＦＥ）、ポリエーテルケトン樹脂（ＰＥＥＫ）、ポリ超高分子量ポリエチレン（ＵＨＭＷＰＥ）、二硫化モリブデン、窒化ホウ素等である。
【００３３】
次に、第１実施形態に係るカテーテル１０の作用を説明する。
【００３４】
カテーテル１０は、ガイドワイヤルーメン３３にガイドワイヤ１００を通された状態で、血管内に挿入される。術者が、ガイドワイヤルーメン３３にガイドワイヤ１００を通す際や、カテーテル１０および／またはガイドワイヤ１００を血管内で移動する際、図３に示すように、ガイドワイヤ１００は、基端開口部３５において湾曲や撓みを生じ、カテーテルシース２０から径方向へ離れるように移動することがある。このような場合、基端開口部３５は、強い外力が作用して広がり、基端開口部３５が捲れたり損傷したりする可能性がある。しかしながら、基端側開口部３５がガイドワイヤ１００から強い外力を受ける場合であっても、変形部３２は高い伸縮性を有するため、損傷せずに変形できる。そして、変形部３２は、変形部３２に作用する外力が除荷されると、元の形状に戻ることができる。このため、基端開口部３５は、広がった形状となるような外力を受けても、捲れた形状が残存したり、損傷したりすることが抑制される。したがって、カテーテル１０は、カテーテル１０を基端側へ後退させても、基端開口部３５が血管内に留置したステントの端部や血管の湾曲部位に引っ掛かり、カテーテルの操作が困難となることが抑制できる。
【００３５】
また、先端中空部３１の少なくとも一部は、軸方向の位置において、カテーテルシース２０の先端部と重なって接合されている。このため、変形部３２が力を受けて変形しても、先端中空部３１の軸心Ｙは、カテーテルシース２０の軸心Ｘと略平行な状態が維持されやすい。このため、カテーテル１０は、先端中空部３１よりも変形しやすい変形部３２が中空部３０に設けられても、先端中空部３１のガイドワイヤルーメン３３を通るガイドワイヤ１００に沿って、カテーテルシース２０が軸方向へ円滑に移動可能である。
【００３６】
また、変形部３２の最先端の位置は、カテーテルシース２０の軸方向において、カテーテルシース２０の一定外径である部位の最先端の位置と一致、または当該位置よりも基端側に位置している。これにより、カテーテルシース２０よりも剛性が低い変形部３２は、カテーテルシース２０の軸方向において、外径が一定であって高い剛性を有するカテーテルシース２０に重なる。このため、カテーテル１０の曲げ剛性が、カテーテル１０に変形部３２を設けた部分で低下し過ぎることを抑制できる。したがって、カテーテル１０は、変形部３２を設けても、カテーテル１０の軸方向における剛性の変化が緩やかとなり、キンクの発生を抑制できる。
【００３７】
また、変形部３２は、内径が基端側へ向かって小さくなっているため、変形部３２の基端側に位置するガイドワイヤ１００が、カテーテルシース２０に近づいて沿いやすい。このため、カテーテルシース２０は、ガイドワイヤ１００に沿って軸方向へ円滑に移動可能となり、血管内の望ましい位置に配置可能となる。したがって、超音波振動子４１により、望ましい位置の画像を良好に取得できる。その結果、超音波振動子４１により、生体の同じ位置の画像を高い再現性で取得することもできる。また、変形部３２は、外径が基端側へ向かって小さくなっているため、変形部３２の基端側の端部が、血管内に留置されたステントや、血管の湾曲部位に引っ掛かり難い。
【００３８】
また、変形部３２と接する先端中空部３１の境界面３９は、カテーテルシース２０の軸心Ｘと直交する面に対して傾斜している。このため、中空部３０の曲げ剛性は、変形部３２と先端中空部３１の間で、軸方向に沿って傾斜的に変化している。したがって、カテーテル１０の軸方向における剛性の変化が緩やかとなり、キンクの発生を抑制できる。
【００３９】
また、変形部３２の内周面に潤滑剤が被覆されていれば、ガイドワイヤルーメン３３を貫通するガイドワイヤ１００の滑りを良好に維持できる。また、変形部３２の外周面に潤滑剤が被覆されていれば、変形部３２が血管壁面を円滑に滑ることができる。このため、カテーテル１０は、血管内で円滑に移動することができる。変形部３２は、構成材料内に潤滑剤が混入される場合であっても、内周面および外周面に潤滑剤が被覆される場合と同様の効果を得られる。
【００４０】
以上のように、第１実施形態に係るカテーテル１０は、カテーテルシース２０と、カテーテルシース２０の先端部に配置され、ガイドワイヤ１００を挿入可能なガイドワイヤルーメン３３が形成された中空部３０と、を有するカテーテル１０であって、中空部３０は、ガイドワイヤルーメン３３の先端開口部３４が形成される先端中空部３１と、ガイドワイヤルーメン３３の基端開口部３５の少なくとも一部が形成され、先端中空部３１よりも柔軟である変形部３２と、を有する。
【００４１】
上記のように構成したカテーテル１０は、中空部３０の基端開口部３５が形成される変形部３２が外力によって変形しやすいため、ガイドワイヤ１００が撓んだ際や、ガイドワイヤ１００がカテーテル１０から径方向へ離れるようにガイドワイヤ１００またはカテーテル１０に外力がかかった際に、基端開口部３５の捲れや損傷を抑制できる。また、変形部３２が変形しやすいため、ガイドワイヤ１００が変形部３２に対して強く接触する際に、ガイドワイヤ１００の損傷を抑制できる。
【００４２】
中空部３０の少なくとも一部は、カテーテルシース２０と平行に配置され、変形部３２は、カテーテルシース２０に固定される固定部３８を有する。これにより、ガイドワイヤルーメン３３がカテーテルシース２０と平行になりやすい。さらに、変形部３２は、カテーテルシース２０に固定されるため、必要以上の変形が抑制され、変形しても元の位置に戻りやすい。このため、ガイドワイヤ１００は、基端開口部３５付近における撓みが抑制され、カテーテルシース２０に沿いやすくなる。したがって、カテーテル１０の操作性が安定する。
【００４３】
中空部３０の少なくとも一部は、カテーテルシース２０と平行に配置され、変形部３２は、中空部３０およびカテーテルシース２０が軸方向の位置において重なる範囲内に配置される。これにより、変形しやすく剛性の低い変形部３２を、カテーテルシース２０により支持できる。このため、カテーテル１０の軸方向における剛性の変化が緩やかとなり、カテーテル１０のキンクの発生を抑制できる。
【００４４】
変形部３２の内径は、基端側に向かって小さくなっている。これにより、ガイドワイヤルーメン３３を通るガイドワイヤ１００は、基端開口部３５付近における撓みがさらに抑制され、ガイドワイヤルーメン３３よりも基端側でカテーテルシース２０に沿いやすくなる。このため、ガイドワイヤ１００の撓みを抑制でき、カテーテル１０の操作性が安定する。
【００４５】
変形部３２の少なくとも一部は、弾性変形可能なゴム材料により形成される。これにより、基端開口部３５の少なくとも一部を含む変形部３２は、外力により損傷せずに変形可能でありつつ、除荷により容易に元の形状に戻ることができる。このため、基端開口部３５が血管内に留置したステント端部のストラットに引っ掛かる可能性を低減できる。また、ガイドワイヤ１００は、ガイドワイヤルーメン３３よりも基端側でカテーテルシース２０に沿いやすくなる。したがって、カテーテル１０の操作性が安定する。
【００４６】
中空部３０の少なくとも一部の内腔の軸心Ｙは、基端側へ向かうにしたがってカテーテルシース２０に近づいている。これにより、ガイドワイヤルーメン３３を通るガイドワイヤ１００は、基端開口部３５付近における撓みがさらに抑制され、ガイドワイヤルーメン３３よりも基端側でカテーテルシース２０に沿いやすくなる。このため、カテーテル１０の操作性が安定する。
【００４７】
なお、図４（Ａ）に示す第１変形例のように、境界面３９および基端開口面３７は、先端中空部３１の軸心Ｙおよびカテーテルシース２０の軸心Ｘと略垂直であってもよい。また、図４（Ｂ）に示す第２変形例のように、変形部３２の内径および外径は、変形部３２の軸心Ｙに沿って一定であってもよい。この場合、変形部３２の軸心Ｙが、カテーテルシース２０の軸心Ｘと平行である。変形部３２の最先端の位置は、カテーテルシース２０の軸方向において、カテーテルシース２０の最先端の位置と略一致している。また、図示しないが、変形部３２の軸心Ｙが、カテーテルシース２０の軸心Ｘと平行であって、変形部３２の内径が、基端側へ向かって小さくなってもよい。この場合、変形部３２の外径は、変形部３２の軸心Ｙに沿って一定であってもよいが、一定でなくてもよい。また、図示しないが、変形部３２の軸心Ｙが、基端側へ向かうにしたがってカテーテルシース２０に近づき、変形部３２の内径が、変形部３２の軸心Ｙに沿って一定であってもよい。この場合、変形部３２の外径は、変形部３２の軸心Ｙに沿って一定であってもよいが、一定でなくてもよい。また、図４（Ｃ）に示す第３変形例のように、中空部３０は、先端開口面３６から基端開口面３７へ向かって、剛性が傾斜的に減少し、伸縮性が傾斜的に増加してもよい。中空部３０の剛性は、例えば、中空部３０がカテーテルシース２０に固定されている領域で、軸心Ｘに沿って中空部３０の先端側（カテーテルシース２０の最先端の近傍）から基端側へ向かって、傾斜的に減少している。このような形態は、中空部３０を構成する管体を、異なる材料を混ぜつつ押出成形することにより形成できる。これにより、カテーテル１０の軸方向における剛性、柔軟性および弾性の変化が緩やかとなり、キンクの発生を抑制できる。このように、先端中空部３１から変形部３２へ、剛性、柔軟性および弾性が、なだらかに移行してもよい。
【００４８】
また、図５（Ａ）に示す第４変形例のように、カテーテルシース２０の先端面は、中空部３０に近い側が先端側に位置するように傾斜するとともに、中空部３０に近づくほど、中空部３０の軸心Ｙと平行に近づく。このような構成は、製造が容易であるとともに、中空部３０とカテーテルシース２０の接着面積が広がることで高い耐久性を備える。また、カテーテル１０の軸方向における剛性の変化が、緩やかとなり、キンクの発生を抑制できる。なお、図５（Ｂ）に示す第５変形例のように、先端中空部３１の一定外径である部位の最基端の位置が、カテーテルシース２０の一定外径である部位の最先端の位置と略一致してもよい。
【００４９】
また、図６（Ａ）に示す第６変形例のように、変形部３２は、中空部３０の基端開口部３５の周方向の一部に形成されてもよい。変形部３２は、基端開口部３５の、カテーテルシース２０から離れた側にのみ設けられる。これにより、ガイドワイヤルーメン３３に挿入されたガイドワイヤ１００は、中空部３０の軸心Ｙと直交する面において、変形部３２が設けられる側以外への移動が制限される。このため、血管内を押し進められるカテーテル１０は、進行方向からずれ難くなり、操作性が安定する。このような形態のカテーテル１０の中空部３０は、図６（Ｂ）に示すように、異なる材料からなり、端部に傾斜面を備える２つの管腔体を接合することにより作成できる。また、押出成形において、材料を押し出している途中で異なる材料に切り替えることにより、傾斜した傾斜面３９を備える管体を作成する。この後、傾斜面３９を２つに分けるように、二点鎖線で示す位置で切断することで、中空部３０を形成できる。
【００５０】
また、図７に示す第７変形例のように、中空部３０を構成する変形部３２および先端中空部３１は、軸方向に離れていてもよい。変形部３２は、先端中空部３１よりも基端側に位置し、環状に形成される。変形部３２は、カテーテルシース２０の外周面に形成される凹部に嵌合して、例えばスポット溶着（融着）により固定される。ガイドワイヤルーメン３３は、先端中空部３１に形成される第１ガイドワイヤルーメン３３Ａと、変形部３２に形成される第２ガイドワイヤルーメン３３Ｂとを有している。なお、カテーテルシース２０に対する変形部３２の固定方法は、スポット溶着に限定されず、例えば、接着剤を用いた接着でもよい。なお、先端中空部３１から離れている変形部３２の形態は、これに限定されない。例えば、図８に示す第８変形例のように、変形部３２は、カテーテルシース２０の外周面を囲むように配置されてもよい。環状の変形部３２の内周面の一部をカテーテルシース２０の外周面から離間させることで、第２ガイドワイヤルーメン３３Ｂを形成できる。
【００５１】
また、図９に示す第９変形例のように、変形部３２は、カテーテルシース２０の先端部の側面に形成されるスリット２４に、カテーテルシース２０の外表面側から引っ掛けるように取り付けられてもよい。変形部３２を引っ掛けた後のスリット２４は、融着や接着により形成される閉鎖部２５によって閉鎖される。変形部３２の一部は、スリット２４からイメージングコア用ルーメン２３に入り込み、イメージングコア用ルーメン２３の内周面に密着する。変形部３２の内周面と、カテーテルシース２０の外周面の間に、第２ガイドワイヤルーメン３３Ｂが形成される。なお、変形部３２のイメージングコア用ルーメン２３に入り込んでいる部位は、イメージングコア用ルーメン２３の内周面に密着しなくてもよい。
＜第２実施形態＞
【００５２】
第２実施形態に係るカテーテル６０は、図１０に示すように、変形部６１が布様素材により形成される点で、第１実施形態と異なる。
【００５３】
カテーテル６０の変形部６１は、繊維で管状に織られた（または編まれた）布様素材により形成されている。なお、変形部６１は、シート状の布様素材を湾曲させて管状に形成されてもよい。布様素材を構成する繊維は、通常、引張強度が高く、各々の繊維が独立して動くことができる。このため、布用素材は、薄くて丈夫で、かつ、変形しやすい。したがって、布様素材は、外力を受けると、皺が形成されて大きく変形できる。また、布様素材は、皺が形成されつつ所定の形状まで変形した後は、それ以上の変形が生じ難い。このため、変形部６１が所定の形状以上に変形しそうになると、術者は、カテーテル６０の基端で抵抗の変化を感知することとなる。このため、術者は、基端開口部３５が損傷するような過剰な力を与える操作を避けることができる。
【００５４】
変形部６１の先端部は、先端中空部３１の基端部に融着や接着等によって接合される。変形部６１の外周面の一部は、カテーテルシース２０の外周面に融着や接着等によって接合される。変形部６１の外周面は、変形部６１の基端を含めるようにカテーテルシース２０の外周面と接合されていることが好ましい。変形部６１が変形部３２の基端でカテーテルシース２０と固定されることによって、変形部６１は、外力により変形してもカテーテルシース２０から必要以上に離れることがなく、外力を除荷した後も元の位置に戻りやすい。
【００５５】
変形部６１の先端側および基端側の縁部は、繊維が解れないように、繊維が切断されずに編まれることで形成されることが好ましい。なお、変形部６１の先端側および基端側の縁部は、繊維が切断されて形成されてもよい。変形部６１の先端側および基端側の縁部に繊維の端部が位置しないように、変形部６１の先端側および基端側の端部は、布様素材を折り返して２重に形成されてもよい。または、変形部６１の先端側および基端側の端部は、繊維が加熱溶融されたり接着剤を塗布されたりすることで、繊維同士が接合されてもよい。または、変形部６１の先端側および基端側の端部は、繊維が解れないように、他の糸によってかがり縫い等の処理が施されてもよい。
【００５６】
変形部６１を形成する布様素材は、編まれたり織られたりすることなく、複数の繊維を並べた状態で部分的に接合して、シート状に形成された素材であってもよい。また、布様素材は、繊維が不規則に並んだ不織布であってもよい。また、布様素材は、シート状の素材に多数の貫通孔を形成することで、貫通孔の周囲が線状（繊維）となっているメッシュ状の素材であってもよい。
【００５７】
変形部６１を構成する繊維の隙間の大きさは、特に限定されないが、引っ掛かりの原因を低減するために、小さいことが好ましい。変形部６１を構成する繊維の隙間の大きさは、変形部６１の外周面側から内部を目視できない大きさであることが好ましいが、目視可能な大きさであってもよい。例えば、繊維の隙間の大きさ（変形部６１の外周面側から観察される隙間の最大長さ）は、０．１ｍｍ以下である。
【００５８】
繊維の構成材料は、伸縮性の低い材料であっても、伸縮性の高い材料であってもよい。変形部６１の形状は、特に限定されない。伸縮性の低い材料の場合、変形部６１の形状は、図２、図４（Ａ）、図４（Ｂ）、図５に示す第１実施形態およびその変形例の形状であっても、好適に適用できる。伸縮性の高い材料の場合、変形部６１の形状は、図２、図４（Ａ）、図４（Ｂ）、図５〜９に示す第１実施形態およびその変形例の形状であっても、好適に適用できる。
【００５９】
繊維の構成材料は、例えば、ポリエチレン（ＰＥ）、ナイロン、アラミド繊維、ポリパラフェニレンベンズオキサゾール（ＰＢＯ）繊維、炭素繊維、ポリエステル繊維等である。繊維の構成材料は、第１実施形態の変形部３２の説明で述べた高伸縮性を備えるゴム材料であってもよい。
【００６０】
変形部６１の厚さは、特に限定されないが、例えば０．０１〜０．５ｍｍである。変形部６１の内径は、特に限定されないが、例えば０．３５〜１．２０ｍｍである。繊維の直径は、特に限定されないが、例えば１．００×１０−６〜１．００×１０−２ｍｍである。
【００６１】
次に、第２実施形態に係るカテーテル６０の作用を説明する。
【００６２】
カテーテル６０は、ガイドワイヤルーメン３３にガイドワイヤ１００を通された状態で、血管内に挿入される。術者が、ガイドワイヤルーメン３３にガイドワイヤ１００を通す際や、カテーテル１０および／またはガイドワイヤ１００を血管内で移動する際、図１１に示すように、ガイドワイヤ１００は、基端開口部３５において湾曲や撓みを生じ、カテーテルシース２０から径方向へ離れるように移動することがある。このような場合、基端開口部３５は、強い外力が作用して広がり、基端開口部３５が捲れたり損傷したりする可能性がある。しかしながら、基端側開口部３５がガイドワイヤ１００から強い外力を受ける場合であっても、変形部６１は、布様素材により形成されているため、皺が形成されることにより変形可能である。変形部６１は、布様素材を構成する繊維の伸縮性が低い場合であっても、大きく変形できる。布様素材を構成する繊維の伸縮性が高い場合には、変形部６１は、さらに大きく変形できる。このため、基端開口部３５は、広がった形状となるような外力を受けても、損傷し難い。したがって、カテーテル１０は、カテーテル１０を基端側へ後退させても、基端開口部３５が血管内に留置したステントの端部や血管の湾曲部位に引っ掛かり、カテーテル１０の操作が困難となることを抑制できる。
【００６３】
外力が作用しない状態における変形部６１の内径がＤ１（図１０を参照）である場合、変形部６１の内周面の周長は、約３．１４×Ｄ１である。変形部６１の内腔が完全になくなるように扁平に潰された場合の変形部６１の最大内径は、内周面の周長の１／２であるため、約１．５７×Ｄ１である。したがって、外力が作用して変形した状態の変形部６１の最大内径Ｄ２（図１１を参照）は、内径Ｄ１の約１．５倍程度まで広がることができる。さらに、布様素材を構成する繊維の伸縮性や、繊維の編み方等により、変形部６１の最大内径Ｄ２は、内径Ｄ１の１．５倍以上に広がるように設計することもできる。
【００６４】
変形部６１にかかる外力が除荷されると、図１０に示すように、皺が形成された変形部６１は、元の皺のない形状に、または元の皺のない形状に近い形状に戻る。血管内に挿入する目的から、カテーテル６０の変形部６１の内径は、例えば約０．５ｍｍ程度であり、非常に小さい。このため、変形部６１は、繊維の弾性力（復元力）の影響を受けやすく、元の形状へ戻りやすい。このため、基端開口部３５は、広げられるような外力を受けても、捲れた形状が残存したり、損傷したりすることが抑制される。
【００６５】
以上のように、第２実施形態に係るカテーテル６０の変形部６１の少なくとも一部は、繊維材料からなる布様素材により形成される。布様素材は、繊維材料からなるため、皺が寄るように大きく変形できるとともに、必要以上に広がらず、かつ損傷し難い。これにより、変形部６１は、除荷により容易に元の形状に戻ることができる。このため、基端開口部３５が血管内に留置したステント端部のストラットに引っ掛かる可能性を低減できる。また、ガイドワイヤ１００は、基端開口部３５付近における撓みが抑制され、ガイドワイヤルーメンよりも基端側でカテーテルシース２０に沿いやすくなる。したがって、カテーテル６０の操作性が安定する。また、変形部６１が所定の形状以上に変形しそうになると、術者は、カテーテル６０の基端で抵抗の変化を感知することとなる。このため、術者は、基端開口部３５が損傷するような過剰な力を与える操作を避けることができる。
【００６６】
なお、図１２に示す第１０変形例のように、変形部６１は、管状の布様素材からなる布様部６２と、布様部６２の基端側に位置して、布様素材よりも伸縮性の高い環状の補助部６３を有してもよい。補助部６３の構成材料は、第１実施形態の変形部３２の説明で述べたゴム材料を適用できる。補助部６３は、外力を受けて変形する布様部６２とともに変形する。この後、外力が除荷されると、補助部６３は自己の弾性力により元の形状に復元する。このとき、補助部６３は、布様部６２が元の形状へ戻ることを補助する。したがって、補助部６３が設けられる変形部６１は、外力を除荷されることで、元の形状へ戻りやすい。
【００６７】
なお、本発明は、上述した実施形態のみに限定されるものではなく、本発明の技術的思想内において当業者により種々変更が可能である。例えば、本発明を適用可能なカテーテルは、ラピッドエクスチェンジ型（Ｒａｐｉｄ  ｅｘｃｈａｎｇｅ  ｔｙｐｅ）のカテーテルであれば、血管内超音波カテーテルに限定されない。例えば、カテーテルは、光干渉断層撮影（ＯＣＴ：Ｏｐｔｉｃａｌ  Ｃｏｈｅｒｅｎｃｅ  Ｔｏｍｏｇｒａｐｈｙ）や光学周波数領域画像（ＯＦＤＩ：Ｏｐｔｉｃａｌ  Ｆｒｅｑｕｅｎｃｙ  Ｄｏｍａｉｎ  Ｉｍａｇｉｎｇ）などの光を利用して画像を取得するカテーテル、バルーンカテーテル等であってもよい。
【００６８】
また、カテーテルが挿入される生体管腔は、血管に限定されず、例えば、脈管、尿管、胆管、卵管、肝管等であってもよい。
【符号の説明】
【００６９】
１０、６０    カテーテル
２０    カテーテルシース
３０    中空部
３１    先端中空部
３２、６１    変形部
３３    ガイドワイヤルーメン
３５    基端開口部
３７    基端開口面
３８    固定部
３９    境界面
６２    布様部
６３    補助部
１００    ガイドワイヤ
【図１】
2020116038.tif 000003
【図２】
2020116038.tif 000004
【図３】
2020116038.tif 000005
【図４】
2020116038.tif 000006
【図５】
2020116038.tif 000007
【図６】
2020116038.tif 000008
【図７】
2020116038.tif 000009
【図８】
2020116038.tif 000010
【図９】
2020116038.tif 000011
【図１０】
2020116038.tif 000012
【図１１】
2020116038.tif 000013
【図１２】
2020116038.tif 000014